(57)【要約】【課題】立体的に発光して意匠に優れる照明構造を提供する。【解決手段】照明構造２は、不可視光１２０を出力する不可視光源１２と、不可視光１２０によって照明される本体１６と、立体的な形状を有して本体１６内に設けられ、不可視光１２０を第１の可視光１２１に変換して自ら発光するシンボル１８と、を備えて概略構成されている。この照明構造２は、立体的な形状を有するシンボル１８がスイッチノブ１４の本体１６の内部で自ら発光するので、照明対象に凹部を形成してこれを照明する場合と比べて、立体的に発光して意匠に優れる。【選択図】図２
2017174646.tif 000002
【特許請求の範囲】
【請求項１】
不可視光を出力する不可視光源と、
前記不可視光によって照明される基体と、
立体的な形状を有して前記基体内に設けられ、前記不可視光を第１の可視光に変換して自ら発光する発光体と、
を備えた照明構造。
【請求項２】
前記第１の可視光とは異なる第２の可視光によって前記基体を照明する可視光源を備えた、
請求項１に記載の照明構造。
【請求項３】
前記基体は、前記可視光源側に前記第２の可視光を拡散する拡散層を有する、
請求項２に記載の照明構造。
【発明の詳細な説明】
【技術分野】
【０００１】
本発明は、照明構造に関する。
【背景技術】
【０００２】
従来の技術として、透明材料で形成され操作面である表面部と、この表面部の裏側である裏面部と、この裏面部に形成され数字・文字・記号などの表示を凹状に形成して成る凹表示部と、を備えたスイッチボタンが知られている（例えば、特許文献１参照。）。
【０００３】
操作者が表面側からスイッチボタンを見た場合、ボタンの文字が立体的に見えるため、数字・文字などの表示の視認性が向上する。
【先行技術文献】
【特許文献】
【０００４】
【特許文献１】特開２００１−６４７９号公報
【発明の概要】
【発明が解決しようとする課題】
【０００５】
本発明の目的は、立体的に発光して意匠に優れる照明構造を提供することにある。
【課題を解決するための手段】
【０００６】
本発明の一態様は、不可視光を出力する不可視光源と、不可視光によって照明される基体と、立体的な形状を有して基体内に設けられ、不可視光を第１の可視光に変換して自ら発光する発光体と、を備えた照明構造を提供する。
【発明の効果】
【０００７】
本発明によれば、立体的に発光して意匠に優れる。
【図面の簡単な説明】
【０００８】
【図１】図１は、第１の実施の形態に係る照明構造の一例を備えたスイッチ装置を示す概略図である。
【図２】図２（ａ）は、第１の実施の形態に係る照明構造の一例を有するスイッチ装置の図１のII（ｂ）-II（ｂ）線で切断した断面を矢印方向から見た断面図であり、図２（ｂ）は、スイッチ装置のブロック図の一例である。
【図３】図３（ａ）は、第２の実施の形態の照明構造の一例を有するスイッチ装置の要部断面図であり、図３（ｂ）は、スイッチ装置のブロック図の一例である。
【発明を実施するための形態】
【０００９】
（実施の形態の要約）
実施の形態に係る照明構造は、不可視光を出力する不可視光源と、不可視光によって照明される基体と、立体的な形状を有して基体内に設けられ、不可視光を第１の可視光に変換して自ら発光する発光体と、を備えて概略構成されている。
【００１０】
この照明構造は、立体的な形状を有する発光体が基体の内部で自ら発光するので、照明対象に凹部を形成してこれを照明する場合と比べて、立体的に発光して意匠に優れる。
【００１１】
[第１の実施の形態]
（照明構造２の概要）
図１は、第１の実施の形態に係る照明構造の一例を備えたスイッチ装置を示す概略図である。図２（ａ）は、第１の実施の形態に係る照明構造の一例を有するスイッチ装置の図１のII（ｂ）-II（ｂ）線で切断した断面を矢印方向から見た断面図であり、図２（ｂ）は、スイッチ装置のブロック図の一例である。なお、以下に記載する実施の形態に係る各図において、図形間の比率は、実際の比率とは異なる場合がある。また図２（ｂ）及び後述する図３（ｂ）では、主な信号の流れを矢印で示している。さらに数値範囲を示す「Ａ〜Ｂ」は、Ａ以上Ｂ以下の意味で用いるものとする。
【００１２】
スイッチ装置１は、例えば、図１、図２（ａ）及び図２（ｂ）に示すように、照明構造２と、スイッチ２０と、制御部２２と、を備えて概略構成されている。このスイッチ装置１は、例えば、プッシュスイッチであり、スイッチノブ１４の操作面１４０に対してプッシュ操作が行われることによってスイッチ２０がオン、オフするように構成されている。またスイッチ装置１は、一例として、車両に搭載された電子機器と電気的に接続されている。
【００１３】
照明構造２は、このスイッチノブ１４を照明する構造である。具体的には、照明構造２は、不可視光１２０を出力する不可視光源１２と、不可視光１２０によって照明される基体としての本体１６と、立体的な形状を有して本体１６内に設けられ、不可視光１２０を第１の可視光１２１に変換して自ら発光する発光体としのシンボル１８と、を備えて概略構成されている。
【００１４】
（不可視光源１２の構成）
不可視光源１２は、図２（ａ）に示すように、基板１０に配置されている。この基板１０は、例えば、プリント配線基板である。
【００１５】
不可視光源１２は、一例として、制御部２２から出力される駆動信号Ｓ１に基づいて、１０ｎｍ以上４００ｎｍ未満の波長の不可視光１２０を出力する。本実施の形態の不可視光１２０は、一例として、波長が３６５ｎｍ程度の近紫外光（ブラックライト）である。
【００１６】
不可視光源１２は、例えば、この不可視光１２０を出力するＬＥＤ（Light Emitting Diode）素子である。この不可視光１２０は、スイッチノブ１４の本体１６のみを透過したものは、不可視光１２０のままなので利用者には視認されない。しかしシンボル１８に入射した不可視光１２０は、シンボル１８によって第１の可視光１２１に変換されるので、利用者が視認することができる。
【００１７】
不可視光源１２は、例えば、車両の電源が投入されると、点灯するように構成されている。スイッチノブ１４は、この不可視光源１２の点灯によってシンボル１８が立体的に光って利用者に視認される。
【００１８】
（スイッチノブ１４の構成）
スイッチノブ１４は、例えば、本体１６とシンボル１８とを二色成形によって一体としたものである。本体１６は、一例として、図１に示すように、細長い板形状を有している。またシンボル１８は、一例として、図１に示すように、立体的な矢印形状を有している。
【００１９】
本体１６は、例えば、ポリカーボネート、アクリルなどの透明な合成樹脂を用いて形成されている。シンボル１８は、例えば、ポリカーボネート、アクリルなどの透明な合成樹脂に、不可視光１２０を第１の可視光１２１に変換する蛍光体を混ぜて形成されている。
【００２０】
この蛍光体は、例えば、ＹＡＧ（イットリウム・アルミニウム・ガーネット）系、ＴＡＧ（テルビウム・アルミニウム・ガーネット）系、サイアロン系、ＢＯＳ（バリウム・オルソシリケート）系などである。本実施の形態の蛍光体は、一例として、ユウロピウムをドープさせたフッ化ホウ素酸ストロンチウムや鉛をドープさせたケイ化バリウムなどである。
【００２１】
（スイッチ装置１の構成）
スイッチ装置１は、上述のように、照明構造２の他にスイッチ２０及び制御部２２を有している。
【００２２】
スイッチ２０は、例えば、基板１０に配置される。このスイッチ２０は、例えば、プッシュ操作によって移動するスイッチノブ１４によって押し込まれてオン、オフするマイクロスイッチである。スイッチ２０は、プッシュ操作に応じてオン、オフを示すスイッチ信号Ｓ３を制御部２２に出力する。
【００２３】
制御部２２は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部２２が動作するためのプログラムが格納されている。ＲＡＭは、例えば、一時的に演算結果などを格納する記憶領域として用いられる。
【００２４】
制御部２２は、例えば、不可視光源１２及びスイッチ２０と電気的に接続されている。制御部２２は、例えば、車両の電源が投入されると、駆動信号Ｓ１を生成して不可視光源１２を点灯させる。
【００２５】
また制御部２２は、スイッチ２０から出力されるスイッチ信号Ｓ３に基づいて、スイッチノブ１４がプッシュ操作されたと判定すると、操作に応じた操作信号Ｓ４を生成して接続されている電子機器に出力する。
【００２６】
以下に本実施の形態の照明構造２を有するスイッチ装置１の照明に関する動作の一例について説明する。
【００２７】
（動作）
スイッチ装置１の制御部２２は、電源が投入されると、駆動信号Ｓ１を生成して不可視光源１２に出力する。不可視光源１２は、駆動信号Ｓ１に基づいて不可視光１２０をスイッチノブ１４に向けて出力する。
【００２８】
不可視光１２０は、スイッチノブ１４の裏面１４１から入射すると、シンボル１８を介さずに本体１６を透過するものは、可視光に変換されないので利用者が視認できない。一方シンボル１８に入射した不可視光１２０は、シンボル１８によって第１の可視光１２１に変換されて出力されるので利用者が視認することができる。この第１の可視光１２１は、シンボル１８の全面から出力されるので、利用者からは、シンボル１８が立体的に光るように見える。
【００２９】
（第１の実施の形態の効果）
本実施の形態に係る照明構造２は、立体的に発光して意匠に優れる。具体的には、照明構造２は、立体的な形状を有するシンボル１８がスイッチノブ１４の本体１６の内部で自ら発光するので、照明対象に凹部を形成してこれを照明する場合と比べて、立体的に発光して意匠に優れる。
【００３０】
照明構造２は、シンボル１８に蛍光体が含まれているので、入射した不可視光１２０がシンボル１８内部で拡散して第１の可視光１２１として出力される。従って照明構造２は、シンボル１８が、輝度ムラが抑制された状態で効率良く発光する。
【００３１】
［第２の実施の形態］
第２の実施の形態は、さらに可視光源を備えた点で第１の実施の形態と異なっている。
【００３２】
図３（ａ）は、第２の実施の形態の照明構造の一例を有するスイッチ装置の要部断面図であり、図３（ｂ）は、スイッチ装置のブロック図の一例である。図３（ａ）に示す点線の矢印は、第２の可視光１３０を示している。なお以下に記載する実施の形態において、第１の実施の形態と同じ機能及び構成を有する部分は、第１の実施の形態と同じ符号を付し、その説明は省略するものとする。
【００３３】
本実施の形態の照明構造２は、図２（ａ）に示すように、第１の可視光１２１とは異なる第２の可視光１３０によってスイッチノブ１４の本体１６を照明する可視光源１３を備えている。
【００３４】
また本体１６は、可視光源１３側に第２の可視光１３０を拡散する拡散層を有する。この拡散層は、例えば、図３（ａ）に示す拡散シート１９である。なお拡散層は、拡散シート１９に限定されず、光を拡散する粒子が含まれるライトガイドであっても良いし、印刷などによって光を拡散するように形成されても良い。また照明構造２は、拡散層を備えない構成であっても良い。
【００３５】
（可視光源１３の構成）
可視光源１３は、図３（ａ）に示すように、不可視光源１２と並んで基板１０に配置されている。
【００３６】
この可視光源１３は、一例として、制御部２２から出力される駆動信号Ｓ２に基づいて、４００〜８３０ｎｍの波長の第２の可視光１３０を出力する。可視光源１３は、例えば、この第２の可視光１３０を出力するＬＥＤ素子である。第２の可視光１３０は、拡散シート１９及びスイッチノブ１４の本体１６を介して出力する。
【００３７】
可視光源１３は、一例として、スイッチノブ１４に対してプッシュ操作がなされ、対応する機能がオンされる場合、点灯するように構成されている。なお第２の可視光１３０は、不可視光１２０が変換された第１の可視光１２１とは異なる色を有する。
【００３８】
（拡散シート１９の構成）
拡散シート１９は、図３（ａ）に示すように、スイッチノブ１４の裏面１４１に配置されている。この拡散シート１９は、一例として、白色であり、シンボル１８の背景となる。この拡散シート１９は、例えば、透明なフィルムに白色のインクを用いて拡散膜を印刷することで形成される。
【００３９】
以下に本実施の形態の照明構造２を有するスイッチ装置１の照明に関する動作の一例について説明する。
【００４０】
（動作）
スイッチ装置１の制御部２２は、電源が投入されると、駆動信号Ｓ１を生成して不可視光源１２に出力する。不可視光源１２は、駆動信号Ｓ１に基づいて不可視光１２０をスイッチノブ１４に向けて出力する。
【００４１】
拡散シート１９を介してシンボル１８に入射した不可視光１２０は、シンボル１８によって第１の可視光１２１に変換されて出力される。
【００４２】
また制御部２２は、スイッチ２０から取得するスイッチ信号Ｓ３に基づいてスイッチノブ１４に対してプッシュ操作がなされたと判定すると、プッシュ操作を受け付けたことを示すため、駆動信号Ｓ２を生成して可視光源１３に出力する。
【００４３】
可視光源１３は、駆動信号Ｓ２に基づいて第２の可視光１３０を出力する。第２の可視光１３０は、拡散シート１９及びスイッチノブ１４の本体１６を介して出力する。その結果、スイッチノブ１４は、白色を背景にシンボル１８が立体的に浮かぶような意匠となる。
【００４４】
（第２の実施の形態の効果）
本実施の形態に係る照明構造２は、プッシュ操作前後でスイッチノブの照明を変えることができる。また照明構造２は、拡散シート１９に基づく背景に、シンボル１８が立体的に浮かぶような意匠を実現できる。
【００４５】
以上述べた少なくとも１つの実施の形態の照明構造２によれば、立体的に発光して意匠に優れる。
【００４６】
また上述の実施の形態では、照明構造２は、スイッチノブ１４を照明するものであったがこれに限定されず、操作対象ではない表示パネルのシンボルを照明するものなどであっても良い。
【００４７】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００４８】
１…スイッチ装置、２…照明構造、１０…基板、１２…不可視光源、１３…可視光源、１４…スイッチノブ、１６…本体、１８…シンボル、１９…拡散シート、２０…スイッチ、２２…制御部、１２０…不可視光、１２１…第１の可視光、１３０…第２の可視光、１４０…操作面、１４１…裏面
【図１】
2017174646.tif 000003
【図２】
2017174646.tif 000004
【図３】
2017174646.tif 000005